(57)【要約】【課題】建物躯体の外周部位置となる吊り足場の周縁部を確実に支持できる吊り足場用支持具の提供。【解決手段】吊り足場用支持具１は、立ち上がり壁４の内外面に当接する両挟持部５、６と、立ち上がり壁４の上面に当接する横部材７とから略コ字状に形成され、内外面方向へ伸縮自在な横部材７を縮めた時に両挟持部５、６で立ち上がり壁４を挟持する。外挟持部６には吊り足場２の周縁部２ａを支持する吊り部材用取付け部８が、横部材７には防護棚９を支持する支持部材用取付け部１０がそれぞれ設けられている。そして、両挟持部５、６と横部材７とからなる簡単な構造の支持具１を立ち上がり壁４の上端部に設けることで、その吊り部材用取付け部８で吊り足場周縁部２ａを確実に支持できると共に、横部材７の支持部材用取付け部１０で吊り足場周縁部２ａに設けた防護棚９も支持できる。【選択図】　　　図１
2004076418.tif 000002
【特許請求の範囲】
【請求項１】
吊り足場を支持すべく、建物躯体の外周における既設の立ち上がり壁の上端部に取付けて使用する吊り足場用支持具であり、
前記立ち上がり壁の内面に当接している内挟持部と、立ち上がり壁の外面に当接している外挟持部と、この内外の両挟持部の上端部に設けられて立ち上がり壁の上面に当接している横部材とから略コ字状に形成し、前記横部材は前記立ち上がり壁の内外面方向へ伸縮自在に構成していると共に、この横部材を縮めた時に前記内外の両挟持部で立ち上がり壁を挟持するように構成しており、
前記外挟持部には、その下端部に、前記建物躯体の外周部位置となる前記吊り足場の周縁部を支持する吊り部材用取付け部が設けられていると共に、前記横部材には、その前記立ち上がり壁の外面方向の端部に、前記吊り足場の周縁部に設けた落下物用の防護棚を支持する支持部材用取付け部が設けられていることを特徴とする吊り足場用支持具。
【請求項２】
前記支持部材は、前記横部材と前記防護棚の上端部との間に配設する管体で構成していると共に、前記支持部材用取付け部は、前記管体をクランプを介して取付けられるように管体で構成していることを特徴とする請求項１記載の吊り足場用支持具。
【請求項３】
前記吊り部材は、前記吊り足場の周縁部に揺動自在に設けた線材で構成していると共に、前記吊り部材用取付け部は、前記線材を前記外挟持部に揺動自在に取付けられる吊り金具で構成していることを特徴とする請求項１記載の吊り足場用支持具。
【発明の詳細な説明】
【０００１】
【発明の属する技術分野】
この発明は、建物躯体の外周における既設の立ち上がり壁を利用して、吊り足場を支持できるようにする吊り足場用支持具に関するものである。
【０００２】
【従来の技術】
吊り足場用支持具としては、建物躯体の梁を利用して吊り足場を吊ることができるように、その梁のフランジに取付けるものが一般に知られている。
【０００３】
【発明が解決しようとする課題】
前述した従来の吊り足場用支持具は、一般的に建物躯体の外周部分に設けられない建物躯体の梁を利用して取付けられるので、建物躯体の外周部位置となる吊り足場の周縁部を支持することができない。
【０００４】
一方、この吊り足場の周縁部にも、建物躯体外周部での作業時や落下物用の防護棚を取付ける時などにそれなりの重量が加わるので、その重量を確実に支持できるようにすることが望まれていた。
【０００５】
この発明は前述した事情に鑑みて創案されたもので、その目的は、建物躯体の外周部位置となる吊り足場の周縁部を確実に支持できるようにする吊り足場用支持具を提供することにある。
【０００６】
【課題を解決するための手段】
この発明の吊り足場用支持具は、建物躯体の外周における既設の立ち上がり壁の内面に当接している内挟持部と、立ち上がり壁の外面に当接している外挟持部と、この内外の両挟持部の上端部に設けられて立ち上がり壁の上面に当接している横部材とから略コ字状に形成し、横部材は立ち上がり壁の内外面方向へ伸縮自在に構成していると共に、この横部材を縮めた時に内外の両挟持部で立ち上がり壁を挟持するように構成している。
【０００７】
そして、外挟持部には、その下端部に、建物躯体の外周部位置となる吊り足場の周縁部を支持する吊り部材用取付け部が設けられていると共に、横部材には、その立ち上がり壁の外面方向の端部に、吊り足場の周縁部に設けた落下物用の防護棚を支持する支持部材用取付け部が設けられている。
【０００８】
このようなこの発明によれば、内外の両挟持部と横部材とからなる簡単な構造の吊り足場用支持具を立ち上がり壁の上端部に設けることで、外挟持部下端部の吊り部材用取付け部によって、梁のない建物躯体の外周位置に相当する吊り足場の周縁部を確実に吊り支持することができる。
【０００９】
しかも、この吊り足場用支持具における横部材の立ち上がり壁外面方向の端部の支持部材用取付け部によって、吊り足場の周縁部に設けた防護棚も支持することができる。
【００１０】
【発明の実施の形態】
以下、この発明の吊り足場用支持具を図示する一実施形態で説明する。
【００１１】
吊り足場２を支持すべく、建物躯体３の外周における既設の立ち上がり壁４の上端部に取付けて使用する吊り足場用支持具１（図１〜図４参照）は、立ち上がり壁４の内面４ａに当接している内挟持部５と、立ち上がり壁４の外面４ｂに当接している外挟持部６と、この内挟持部５および外挟持部６の上端部に設けられて立ち上がり壁４の上面４ｃに当接している横部材７とから略コ字状に形成している。
【００１２】
そして、この吊り足場用支持具１において、横部材７は立ち上がり壁４の内外面方向へ伸縮自在に構成していると共に、この横部材７を縮めた時に内挟持部５および外挟持部６で立ち上がり壁４を挟持するように構成している。
【００１３】
また、外挟持部６には、その下端部に、建物躯体３の外周部位置となる吊り足場２の周縁部２ａを支持する吊り部材用取付け部８が設けられていると共に、横部材７には、その立ち上がり壁４の外面方向の端部に、吊り足場２の周縁部２ａに設けた落下物用の防護棚（朝顔）９を支持する支持部材用取付け部１０が設けられている。
【００１４】
この実施形態での支持部材１１は、横部材７と防護棚９の上端部との間に配設する管体（頭つなぎ）１２で構成していると共に、支持部材用取付け部１０は、管体１２をクランプ（図示せず）を介して取付けられるように管体で構成している。
【００１５】
この実施形態での吊り部材１３は、吊り足場２の周縁部２ａに揺動自在に設けたチェーン等の線材１４で構成していると共に、吊り部材用取付け部８は、線材１４を外挟持部６に揺動自在に取付けられる吊り金具１５で構成している。
【００１６】
この実施形態での吊り金具１５は、略Ｕ字状に形成されており、Ｕ字状開口部を貫通している取付けボルト１６によって揺動自在に取付けられている。
【００１７】
この実施形態での横部材７は、一端部に外挟持部６が垂設していると共に、その一端部に支持部材用取付け部１０が立設している外管７ａと、他端部に内挟持部５が垂設している内管７ｂとから構成されている。そして、この横部材７は、内管７ｂが外管７ａの内部へ摺動自在に挿入され伸縮自在となっている。
【００１８】
なお、横部材７の伸縮は、外管７ａの一端部から挿入され内管７ｂの一端部に固定したナット１７に螺合している伸縮用ボルト１８を、ボルト頭１８ａの利用で回転させることにより行われる。この横部材７の最も縮めた状態を図５に示している。
【００１９】
この実施形態での内挟持部５には、その下端部の外面に、立ち上がり壁４の内面４ａに当面する挟持板５ａが揺動自在に設けられている。また、この実施形態での外挟持部６には、その下端部の内面に、立ち上がり壁４の外面４ｂに当面する挟持板６ａが設けられている。
【００２０】
なお、内挟持部５の挟持板５ａが揺動自在であることから、内面４ａが傾斜しているような形状にも対応して、このような形状の立ち上がり壁４でも、内挟持部５および外挟持部６で確実に挟持することができる。
【００２１】
このような構成からなる吊り足場用支持具１は、図４に示すように、横部材７を立ち上がり壁４の上面４ｃに当接させて設置すると共に、この横部材７を伸縮用ボルト１８の操作で縮めることにより、内挟持部５および外挟持部６によって立ち上がり壁４の上端部を挟持することで、建物躯体３の外周における既設の立ち上がり壁４の上端部に取付ける。
【００２２】
そして、吊り足場２の周縁部２ａに線材１４の一端部を取付けると共に、その線材１４の他端部を吊り部材用取付け部８に取付けることにより、吊り足場用支持具１で吊り足場２の周縁部２ａを支持することになる。
【００２３】
また、同時に、吊り足場２の周縁部２ａに設けた防護棚８の上端部に管体（頭つなぎ）１２の一端部を取付けると共に、その管体１２の他端部を支持部材用取付け部１０にクランプ（図示せず）を介して取付けることにより、吊り足場用支持具１で防護棚８を支持することになる。
【００２４】
これらのことから、この発明によれば、内挟持部５および外挟持部６と横部材７とからなる簡単な構造の吊り足場用支持具１を立ち上がり壁４の上端部に設けることで、外挟持部６の下端部の吊り部材用取付け部８によって、吊り足場２の周縁部２ａを確実に吊り支持することができる。
【００２５】
しかも、この吊り足場用支持具１における横部材７の立ち上がり壁４外面方向の端部の支持部材用取付け部１０によって、吊り足場２の周縁部２ａに設けた防護棚８も支持することができる。
【００２６】
【発明の効果】
この発明によれば、内外の両挟持部と横部材とからなる簡単な構造の吊り足場用支持具を立ち上がり壁の上端部に設けることで、外挟持部下端部の吊り部材用取付け部によって、吊り足場の周縁部を確実に吊り支持することができる。
【００２７】
しかも、この吊り足場用支持具における横部材の立ち上がり壁外面方向の端部の支持部材用取付け部によって、吊り足場の周縁部に設けた防護棚も支持することができる。
【図面の簡単な説明】
【図１】この発明の吊り足場用支持具を示す概略図である。
【図２】図１のＡ−Ａ線概略矢視図である。
【図３】図１のＢ−Ｂ線概略矢視図である。
【図４】この発明の吊り足場用支持具の使用状態を示す概略図である。
【図５】この発明の吊り足場用支持具における横部材の最も縮めた状態を示す概略図である。
【符号の説明】
１…吊り足場用支持具、２…吊り足場、２ａ…周縁部、３…建物躯体、４…立ち上がり壁、４ａ…内面、４ｂ…外面、４ｃ…上面、５…内挟持部、５ａ…挟持板、６…外挟持部、６ａ…挟持板、７…横部材、７ａ…外管、７ｂ…内管、８…吊り部材用取付け部、９…防護棚、１０…支持部材用取付け部、１１…支持部材、１２…管体、１３…吊り部材、１４…線材、１５…吊り金具、１６…取付けボルト、１７…ナット、１８…伸縮用ボルト、１８ａ…ボルト頭。
【図１】
2004076418.tif 000003
【図２】
2004076418.tif 000004
【図３】
2004076418.tif 000005
【図４】
2004076418.tif 000006
【図５】
2004076418.tif 000007